(57)【要約】【課題】  特定の電池パックを装着した場合にのみ使用可能となる移動体通信端末装置を提供する。【解決手段】  電力供給源となる電池パック（１）を着脱可能に構築した移動体通信端末装置（２）であり、電池パック（１）と電源線（陽極端子（６、７）間）を介して電気的に接続した際に、電源線（陽極端子（６、７）間）を介して電池パック（１）から入力される電池パック（１）固有の電池信号を基に、該電池信号が、移動体通信端末装置（２）側に設定されている電池パック（１）固有の信号と、一致するか否かを判断し、一致すると判断した場合に、電池パック（１）側から供給される電力を基に主電源を起動する。【選択図】  図１
2006081094.tif 000002
【特許請求の範囲】
【請求項１】
電力供給源となる電池パックを着脱可能に構築した移動体通信端末装置であって、
前記移動体通信端末装置は、
前記電池パックと電源線を介して電気的に接続した際に、該電源線を介して前記電池パックから入力される前記電池パック固有の電池信号を基に、該電池信号が、前記移動体通信端末装置側に設定されている電池パック固有の信号と、一致するか否かを判断し、一致すると判断した場合に、前記電池パック側から供給される電力を基に主電源を起動する手段を有することを特徴とする移動体通信端末装置。
【請求項２】
前記電池パックと電源線を介して電気的に接続した際に、任意の信号を生成し、該生成した任意の信号を前記電池パック側に前記電源線を介して出力する手段を有することを特徴とする請求項１記載の移動体通信端末装置。
【請求項３】
前記任意の信号は、移動体通信端末装置の時計情報を基に生成することを特徴とする請求項２記載の移動体通信端末装置。
【請求項４】
前記移動体通信端末装置側に設定されている電池パック固有の信号を、移動体通信端末装置の時計情報を基に動的に変化させることを特徴とする請求項１記載の移動体通信端末装置。
【請求項５】
前記時計情報は、移動体通信端末装置に搭載されたカレンダ用ＩＣから出力されることを特徴とする請求項３または４記載の移動体通信端末装置。
【請求項６】
通信端末装置の電力供給源となる電池パックであって、
前記電池パックは前記通信端末装置と着脱可能に構築されており、
前記電池パックは、
前記通信端末装置と電源線を介して電気的に接続し、前記通信端末装置において生成された任意の信号が前記電源線を介して入力された際に、該入力された任意の信号と、前記電池パック固有の識別信号と、を合成して前記電池パック固有の電池信号を生成し、該生成した電池信号を前記通信端末装置に前記電源線を介して出力する手段を有することを特徴とする電池パック。
【請求項７】
前記電池パック固有の識別信号を、前記電池パックの時計情報を基に動的に変化させることを特徴とする請求項６記載の電池パック。
【請求項８】
前記時計情報は、電池パックに搭載されたカレンダ用ＩＣから出力されることを特徴とする請求項７記載の電池パック。
【発明の詳細な説明】
【技術分野】
【０００１】
本発明は、携帯電話などの移動型の通信端末装置に関し、特に、移動体通信端末装置に搭載される電池パックが正規の電池パックか否かを識別する移動体通信端末装置及び電池パックに関するものである。
【背景技術】
【０００２】
一般的に、携帯電話機等の移動体通信端末装置は、装置本体に電力を供給する電池パックが装置本体から着脱可能となるように構成されている。これにより、電池パックが劣化した際には、電池パックを交換することで、手持ちの通信端末装置を継続的に利用することが可能となる。
【０００３】
このため、市場に売られている通信端末装置に合せて電池パックを複製し、該複製した電池パックが乾電池のように市場に流通しているのが現状である。なお、携帯電話機等の移動体通信端末装置に使用されている電池パックは、いわゆるリチウムイオンバッテリーが一般的に使用されている。このリチウムイオンバッテリーは、エネルギー密度が乾電池に比べ高いため、安全性を十分考慮した設計と製造とを電池パックメーカが行っている。
【０００４】
なお、従来から電池パックを許可なく製造する業者が後を絶たず、このような業者により製造された電池パックは、コストの低減を追求するばかり、複製の電池パックの中には粗悪品も含まれることになり、移動体通信端末装置の使用中や充電中に高温発熱や爆発を起こす可能性のある電池パックも流通しているのが現状である。
【０００５】
このようなことから、本発明より先に出願された技術文献として、電話機本体のコード発生部及びコード長決定部にて、データ長及びその内容がランダムな符号列が生成され、この生成された符号列に基づき電話機本体のＩＤ生成部及びバッテリパックのＩＤ生成部では、同一の演算処理にてＩＤ符号を生成する。そして、電話機本体は、電話機本体のＩＤ生成部及びバッテリパックのＩＤ生成部で生成されたＩＤ符号が等しい場合には、バッテリパックが正規のものであると識別するものがある（例えば、特許文献１参照）。
【特許文献１】特開２００３−１６２９８６号公報
【発明の開示】
【発明が解決しようとする課題】
【０００６】
しかしながら、上記特許文献１は、ランダムなコード（符号列）に基づいて、電話機本体及びバッテリパックにおいて同一の演算処理を行って認識信号（ＩＤ符号）を発生させ、データ通信を行うことで、機密性を確保しつつも的確な識別を可能としているが、上記特許文献１は、バッテリパックが正規のものであるか否かを識別するためにデータ通信を行うための端子と、電源供給を行うための端子と、を別に設けた構成を構築しており、上記のデータ通信を行うための端子の接触が悪い場合には、バッテリパックが正規のものであるか否かを識別することが出来ない虞がある。また、バッテリパックが正規のものであるか否かを識別するためにデータ通信を行うための端子と、電源供給を行うための端子と、を別に設けた構成を構築しているため、上記のデータ通信を行うための端子部分を測定することで、電話器本体及びバッテリパック間のデータ解析を行うことが可能となり、電話器本体及びバッテリパック間の通信データの識別態様が解明される虞がある。
【０００７】
本発明は上記事情に鑑みてなされたものであり、特定の電池パックを装着した場合にのみ使用可能となる移動体通信端末装置及びその電池パックを提供することを目的とするものである。
【課題を解決するための手段】
【０００８】
かかる目的を達成するために、本発明は以下の特徴を有することとする。
【０００９】
本発明にかかる移動体通信端末装置は、電力供給源となる電池パックを着脱可能に構築した移動体通信端末装置であって、移動体通信端末装置は、電池パックと電源線を介して電気的に接続した際に、電源線を介して電池パックから入力される電池パック固有の電池信号を基に、該電池信号が、移動体通信端末装置側に設定されている電池パック固有の信号と、一致するか否かを判断し、一致すると判断した場合に、電池パック側から供給される電力を基に主電源を起動する手段を有することを特徴とするものである。
【００１０】
また、本発明にかかる移動体通信端末装置は、電池パックと電源線を介して電気的に接続した際に、任意の信号を生成し、該生成した任意の信号を電池パック側に電源線を介して出力する手段を有することを特徴とするものである。
【００１１】
また、本発明にかかる移動体通信端末装置において、任意の信号は、移動体通信端末装置の時計情報を基に生成することを特徴とするものである。
【００１２】
また、本発明にかかる移動体通信端末装置は、移動体通信端末装置側に設定されている電池パック固有の信号を、移動体通信端末装置の時計情報を基に動的に変化させることを特徴とするものである。
【００１３】
また、本発明にかかる移動体通信端末装置において、時計情報は、移動体通信端末装置に搭載されたカレンダ用ＩＣから出力されることを特徴とするものである。
【００１４】
また、本発明にかかる電池パックは、通信端末装置の電力供給源となる電池パックであって、電池パックは通信端末装置と着脱可能に構築されており、電池パックは、通信端末装置と電源線を介して電気的に接続し、通信端末装置において生成された任意の信号が電源線を介して入力された際に、該入力された任意の信号と、電池パック固有の識別信号と、を合成して電池パック固有の電池信号を生成し、該生成した電池信号を通信端末装置に電源線を介して出力する手段を有することを特徴とするものである。
【００１５】
また、本発明にかかる電池パックは、電池パック固有の識別信号を、電池パックの時計情報を基に動的に変化させることを特徴とするものである。
【００１６】
また、本発明にかかる電池パックにおいて、時計情報は、電池パックに搭載されたカレンダ用ＩＣから出力されることを特徴とするものである。
【発明の効果】
【００１７】
本発明にかかる移動体通信端末装置は、電力供給源となる電池パックを着脱可能に構築した移動体通信端末装置であり、移動体通信端末装置は、電池パックと電源線を介して電気的に接続した際に、電源線を介して電池パックから入力される電池パック固有の電池信号を基に、該電池信号が、移動体通信端末装置側に設定されている電池パック固有の信号と、一致するか否かを判断し、一致すると判断した場合に、電池パック側から供給される電力を基に主電源を起動する手段を有することを特徴とするものである。また、本発明にかかる電池パックは、通信端末装置の電力供給源となる電池パックであり、電池パックは通信端末装置と着脱可能に構築されており、電池パックは、通信端末装置と電源線を介して電気的に接続し、通信端末装置において生成された任意の信号が電源線を介して入力された際に、該入力された任意の信号と、電池パック固有の識別信号と、を合成して電池パック固有の電池信号を生成し、該生成した電池信号を通信端末装置に電源線を介して出力する手段を有することを特徴とするものである。これにより、特定の電池パックを装着した場合にのみ主電源が起動することが可能となる。
【発明を実施するための最良の形態】
【００１８】
まず、図１を参照しながら、本発明にかかる移動体通信端末装置の特徴について説明する。
【００１９】
本発明にかかる移動体通信端末装置（２）は、電力供給源となる電池パック（１）を着脱可能に構築した移動体通信端末装置（２）であって、移動体通信端末装置（２）は、電池パック（１）と電源線（陽極端子（６、７）間）を介して電気的に接続した際に、電源線（陽極端子（６、７）間）を介して電池パック（１）から入力される電池パック（１）固有の電池信号を基に、該電池信号が、移動体通信端末装置（２）側に設定されている電池パック（１）固有の信号と、一致するか否かを判断し、一致すると判断した場合に、電池パック（１）側から供給される電力を基に主電源を起動する手段を有することを特徴とするものである。また、本発明にかかる電池パック（１）は、通信端末装置（２）の電力供給源となる電池パック（１）であって、電池パック（１）は通信端末装置（２）と着脱可能に構築されており、電池パック（１）は、通信端末装置（２）と電源線（陽極端子（６、７）間）を介して電気的に接続し、通信端末装置（２）において生成された任意の信号が電源線（陽極端子（６、７）間）を介して入力された際に、該入力された任意の信号と、電池パック（１）固有の識別信号と、を合成して電池パック（１）固有の電池信号を生成し、該生成した電池信号を通信端末装置（２）に電源線（陽極端子（６、７）間）を介して出力する手段を有することを特徴とするものである。これにより、移動体通信端末装置（２）に特有の正規の電池パック（１）が移動体通信端末装置（２）に搭載された場合にのみ、移動体通信端末装置（２）の電源が入ることになり、模造の電池パックを移動体通信端末装置（２）に接続しても、移動体通信端末装置（２）の電源が入らないことになり、電池パックの機密性を向上させることが可能となる。
【００２０】
（第１の実施形態）
以下、添付図面を参照しながら、本実施形態における移動体通信端末装置について説明する。
【００２１】
まず、図１を参照しながら、本実施形態における移動体通信端末装置内に電池パックを搭載した場合の構成について説明する。なお、図１は、移動体通信端末用の電池パック（１）と、移動体通信端末装置本体（２）と、の接続関係を示唆したものである。
【００２２】
図１に示唆する移動体通信端末装置は、電池パック（１）と、移動体通信端末装置本体（２）と、が接続して構成されており、電池パック（１）は、装置本体（２）と着脱可能となっている。
【００２３】
（電池パック（１）の構成）
まず、電池パック（１）の構成について説明する。
【００２４】
電池パック（１）は、素電池（３）と、保護回路（４）と、電池ＩＤ発生回路（５）と、電池パックの陽極端子（６）と、電池パックの陰極端子（１０）と、を有して構成されている。
【００２５】
素電池（３）は、移動体通信端末装置本体（２）の電力供給源となる電池であり、電池パック（１）と、移動体通信端末装置本体（２）と、が接続された際に、移動体通信端末装置本体（２）側に電力を供給することになる。保護回路（４）は、電圧、電流などを検出し、過負荷や過電荷などの異常時に、電池パック自体（１）の破損を防止することになる。電池ＩＤ発生回路（５）は、電池パック（１）固有の電池ＩＤ出力信号（１５）を発生するためのものであり、この電池ＩＤ発生回路（５）にて発生した電池ＩＤ出力信号（１５）を移動体通信端末装置本体（２）側に送信することになる。
【００２６】
（移動体通信端末装置本体（２）の構成）
次に、移動体通信端末装置本体（２）の構成について説明する。
【００２７】
移動体通信端末装置本体（２）は、移動体通信端末装置の陽極端子（７）と、フューズ（ＦＵＳＥ）（８）と、電源制御用ＦＥＴ（Ｆｉｅｌｄ  Ｅｆｆｅｃｔ  Ｔｒａｎｓｉｓｔｏｒ）スイッチ（９）と、移動体通信端末装置の陰極端子（１１）と、電池ＩＤ検出回路（１２）と、移動体通信端末装置主回路（１３）と、を有して構成されている。
【００２８】
電池ＩＤ検出回路（１２）は、電池パック（１）にて発生した電池ＩＤ出力信号（１５）を検出し、該検出した電池ＩＤ出力信号（１５）が移動体通信端末装置本体（２）に適合する信号であると認識した場合に、制御信号（１６）を電源制御用ＦＥＴスイッチ（９）に出力することになる。電源制御用ＦＥＴスイッチ（９）は、移動体通信端末装置本体（２）の電源を制御するための半導体素子であり、電池ＩＤ検出回路（１２）から入力される制御信号（１６）を基に、移動体通信端末装置主回路（１３）を制御することになる。移動体通信端末主回路（１３）は、電源制御用ＦＥＴスイッチ（９）から電圧が入力された際に、回路（１３）自体を起動させ、移動体通信端末装置本体（２）の電源をＯＮにするためのものである。
【００２９】
なお、一般的な移動体通信端末装置は、電池パック側（１）に、素電池（３）と、保護回路（４）と、電池パックの陽極端子（６）と、電池パックの陰極端子（１０）と、を有し、また、移動体通信端末本体（２）側に、フューズ（ＦＵＳＥ）（８）と、移動体通信端末装置の陽極端子（７）と、移動体通信端末装置の陰極端子（１１）と、移動体通信端末装置主回路（１３）と、を有して構成することになる。
【００３０】
なお、本実施形態における移動体通信端末装置は、図１に示唆するように、電池パック（１）側に電池ＩＤ発生回路（５）を有し、移動体通信端末装置本体（２）側に電池ＩＤ検出回路（１２）と、電源制御用ＦＥＴスイッチ（９）と、を有して構成されることになる。
【００３１】
上記構成からなる移動体通信端末装置は、移動体通信端末装置本体（２）に対して、電池パック（１）を物理的に接続することで、電池パック（１）の陽極端子（６）と、移動体通信端末装置本体（２）の陽極端子（７）と、が接触し、また、電池パック（１）の陰極端子（１０）と、移動体通信端末装置本体（２）の陰極端子（１１）と、が接触することになる。これにより、電池パック（１）と、移動体通信端末装置本体（２）と、が端子（６，７、１０，１１）を介して電気的に接続されることになる。
【００３２】
これにより、電池パック（１）側から移動体通信端末装置本体（２）側に電圧が印可されることになり、この電圧が、フューズ（ＦＵＳＥ）（８）を介して電池ＩＤ検出回路（１２）と、電源制御用ＦＥＴスイッチ（９）と、に印加されることになる。
【００３３】
電池ＩＤ検出回路（１２）は、電圧が印加されることで、電池ＩＤ問い合わせ信号（１４）を電源線に重畳させ、フューズ（ＦＵＳＥ）（８），端子（７，６）を介して電池ＩＤ発生回路（５）に電池ＩＤ問い合わせ信号（１４）を送信することになる。
【００３４】
電池ＩＤ発生回路（５）は、電池ＩＤ問い合わせ信号（１４）を検出すると、その電池ＩＤ問い合わせ信号（１４）に電池ＩＤ情報を畳み込んだ電池ＩＤ出力信号（１５）を電源線に重畳させ、端子（６，７），フューズ（ＦＵＳＥ）（８）を介して電池ＩＤ検出回路（１２）に送信することになる。
【００３５】
電池ＩＤ検出回路（１２）は、この電池ＩＤ出力信号（１５）を検出することで、電池パック（１）が移動体通信端末装置本体（２）に適合する電池パックか否かを識別することになる。そして、電池ＩＤ検出回路（１２）は、電池ＩＤ出力信号（１５）が、移動体通信端末装置本体（２）側の電池ＩＤ出力信号と一致し、電池パック（１）が移動体通信端末装置本体（２）に適合する電池パックであると認識した場合は、電池ＩＤ検出回路（１２）は、制御信号（１６）を電源制御用ＦＥＴスイッチ（９）に出力することになり、電源制御用ＦＥＴスイッチ（９）は、制御信号（１６）が入力されることで、移動体通信端末装置主回路（１３）に電圧を印加することになる。これにより、移動体通信端末主回路（１３）が起動することになり、移動体通信端末装置本体（２）の電源がＯＮとなる。
【００３６】
また、電池ＩＤ検出回路（１２）は、電池ＩＤ出力信号（１５）が、移動体通信端末装置本体（２）側の電池ＩＤ出力信号と一致せず、電池パック（１）が移動体通信端末装置（２）に適合する電池パックでないと認識した場合は、制御信号（１６）を電源制御用ＦＥＴスイッチ（９）に出力せず、電源制御用ＦＥＴスイッチ（９）は、制御信号（１６）によりオンとならず、移動体通信端末装置主回路（１３）に電圧を印加しないことになる。これにより、移動体通信端末装置本体（２）の電源がＯＮとならないことになる。
【００３７】
次に、図２を参照しながら、図１に示唆する電池ＩＤ発生回路（５）と、電池ＩＤ検出回路（１２）と、の構成について詳細に説明する。なお、図２は、電池ＩＤ発生回路（５）と、電池ＩＤ検出回路（１２）と、の詳細構成を示唆するものである。
【００３８】
（電池ＩＤ発生回路（５）の構成）
まず、電池ＩＤ発生回路（５）の構成について説明する。
【００３９】
電池ＩＤ発生回路（５）は、図２に示唆するように、結合コイル（２１）と、復調器（２３）と、変調器（２４）と、同期検出部（２７）と、第１のシフトレジスタ（２９）と、第２のシフトレジスタ（３０）と、ＸＯＲゲート（３１）と、フリップフロップ（Ｆ／Ｆ）（３２）と、を有して構成される。
【００４０】
結合コイル（２１）は、電池パック（１）の陽極端子（６）と、移動体通信端末装置本体（２）の陽極端子（７）と、の間の電源線に、電池ＩＤ発生回路（５）において発生する電池ＩＤ出力信号（１５）（図１参照）を重畳させるためのものである。また、結合コイル（２１）は、電池ＩＤ検出回路（１２）において発生した電池ＩＤ問い合わせ信号（１４）（図１参照）を受信することになる。
【００４１】
なお、移動体通信端末装置本体（２）の電池ＩＤ検出回路（１２）から送信された電池ＩＤ問い合わせ信号（１４）（図１参照）は、結合コイル（２１）を介して、変調器（２４）から出力される出力信号と交流結合され、復調器（２３）において論理信号（電池ＩＤ問い合わせ信号（１４））として受信することになる。復調器（２３）は、論理信号（電池ＩＤ問い合わせ信号（１４））を復調し、該復調した論理信号（電池ＩＤ問い合わせ信号（１４））を同期検出部（２７）に出力することになる。
【００４２】
同期検出部（２７）は、復調器（２３）から入力された論理信号（電池ＩＤ問い合わせ信号（１４））を、調歩同期により、第１のシフトレジスタ（２９）に出力することになる。なお、図２には図示されていないが、電池パック（１）は、クロック発生器を有しており、同期検出部（２７）は、クロック発生器（図示せず）から入力されるクロック信号を基に調歩同期を行い、電池ＩＤ問い合わせ信号（１４）が陽極端子（６）を占有している期間分だけ、第１のシフトレジスタ（２９）においてラッチされる信号（電池ＩＤ問い合わせ信号（１４））を遅延することになる。
【００４３】
第１のシフトレジスタ（２９）は、同期検出部（２７）から出力される信号（電池ＩＤ問い合わせ信号（１４））をラッチするためのレジスタであり、同期検出部（２７）の制御により、陽極端子（６）において電池ＩＤ問い合わせ信号（１４）（図１参照）が発生している期間だけ遅らせた電池ＩＤ問い合わせ信号（１４）を、ＸＯＲゲート（３１）に出力することになる。
【００４４】
第２のシフトレジスタ（３０）は、電池パック（１）側で設定されている電池パックＩＤ（図２参照）をシリアル信号に変換するシフトレジスタであり、第２のシフトレジスタ（３０）は、同期検出部（２７）の制御により、第１のシフトレジスタ（２９）において遅延された電池ＩＤ問い合わせ信号（１４）に同期して、シリアル信号に変換した電池パックＩＤの信号（電池ＩＤ出力信号）を、ＸＯＲゲート（３１）に出力することになる。
【００４５】
ＸＯＲゲート（３１）は、第２のシフトレジスタ（３０）から出力された電池ＩＤ出力信号と、第１のシフトレジスタ（２９）から出力された電池ＩＤ問い合わせ信号（１４）と、のビット毎の排他的論理和の出力信号を電池ＩＤ出力信号（１５）として、フリップフロップ（Ｆ／Ｆ）（３２）に出力するものである。
【００４６】
フリップフロップ（Ｆ／Ｆ）（３２）は、ＸＯＲゲート（３１）で合成された電池ＩＤ出力信号（１５）を再度、成形、同期するためのものである。変調器（２４）は、フリップフロップ（Ｆ／Ｆ）（３２）から出力される電池ＩＤ出力信号（１５）を変調し、その変調した電池ＩＤ出力信号（１５）を結合コイル（２１）、陽極端子（６，７）を介して、移動体通信端末装置本体（２）側に送信することになる。
【００４７】
（電池ＩＤ検出回路（１２）の構成）
次に、電池ＩＤ検出回路（１２）の構成について説明する。
【００４８】
電池ＩＤ検出回路（１２）は、結合コイル（２２）と、復調器（２５）と、変調器（２６）と、同期検出部（２８）と、時計情報ラッチ（３３）と、第１のシフトレジスタ（３４）と、第２のシフトレジスタ（３５）と、第３のシフトレジスタ（３７）と、ＸＯＲゲート（３６）と、比較器（３８）と、フリップフロップ（Ｆ／Ｆ）（３９）と、を有して構成される。
【００４９】
結合コイル（２２）は、電池パック（１）の陽極端子（６）と、移動体通信端末装置本体（２）の陽極端子（７）と、の間の電源線に、電池ＩＤ検出回路（１２）において発生する電池ＩＤ問い合わせ信号（１４）（図１参照）を重畳させるためのものである。また、結合コイル（２２）は、電池ＩＤ発生回路（５）において発生した電池ＩＤ出力信号（１５）（図１参照）を受信することになる。
【００５０】
電池パック（１）側の電池ＩＤ発生回路（５）から送信される電池ＩＤ出力信号（１５）は、フューズ（ＦＵＳＥ）（８）、結合コイル（２２）を介して、変調器（２６）から出力される出力信号と交流結合され、復調器（２５）により論理信号として受信することになる。復調器（２５）は受信した論理信号（電池ＩＤ出力信号（１５））を復調し、該復調した論理信号（電池ＩＤ出力信号（１５））を同期検出部（２８）に出力することになる。
【００５１】
同期検出部（２８）は、復調器（２５）から受信した論理信号（電池ＩＤ出力信号（１５））を、調歩同期によりＸＯＲゲート（３６）に出力することになる。なお、図２には図示されていないが、移動体通信端末本体（２）には、クロック発生器を有し、同期検出部（２８）は、クロック発生器（図示せず）から入力されるクロック信号を基に、調歩同期を行い、ＸＯＲゲート（３６）に電池ＩＤ出力信号（１５）を出力することになる。
【００５２】
時計情報ラッチ（３３）は、移動体通信端末装置本体（２）における時計情報をラッチするものである。第１のシフトレジスタ（３４）は、時計情報ラッチ（３３）においてラッチされた時計情報をシリアル信号に変換し、電池ＩＤ問い合わせ信号（１４）を生成する。そして、第１のシフトレジスタ（３４）は、その生成した電池ＩＤ問い合わせ信号（１４）を変調器（２６）に出力することになる。なお、第１のシフトレジスタ（３４）は、調歩同期用の制御ビットを電池ＩＤ問い合わせ信号（１４）に付加することになる。
【００５３】
変調器（２６）は、第１のシフトレジスタ（３４）にて生成された電池ＩＤ問い合わせ信号（１４）を変調し、その変調した電池ＩＤ問い合わせ信号（１４）を結合コイル（２２）に出力し、フューズ（ＦＵＳＥ）（８）、陽極端子（７，６）を介して電池パック（１）側に送信することになる。
【００５４】
第２のシフトレジスタ（３５）は、第１のシフトレジスタ（３４）と同様に、時計情報ラッチ（３３）においてラッチされた時計情報をシリアル信号に変換し、ＸＯＲゲート（３６）に出力することになる。なお、本実施形態における移動体通信端末装置本体（２）における時計情報は、ボタン電池と呼ばれる二次電池でバックアップされるカレンダ用ＩＣから出力される時計情報である。
【００５５】
ＸＯＲゲート（３６）は、排他的論理和（ＸＯＲ）ゲートであり、同期検出部（２８）から出力される電池ＩＤ出力信号（１５）に同期して、第２のシフトレジスタ（３５）においてラッチされた時計情報のシリアル信号を受信することになり、同期検出部（２８）から入力される電池ＩＤ出力信号（１５）と、第２のシフトレジスタ（３５）から入力される時計情報のシリアル信号と、を基に、排他的論理和を行い、第３のシフトレジスタ（３７）に出力信号を出力することになる。
【００５６】
第３のシフトレジスタ（３７）は、ＸＯＲゲート（３６）から出力された出力信号を並列信号に変換するためのレジスタである。比較器（３８）は、第３のシフトレジスタ（３７）で変換された並列信号と、電池ＩＤ検出回路（１２）側に設定されている電池パックＩＤ（図２参照）の信号と、を比較するものである。この比較器（３８）は、並列信号と、電池パックＩＤの信号と、が一致すると判断した場合に、フリップフロップ（Ｆ／Ｆ）（３９）に対して信号を出力することになる。フリップフロップ（Ｆ／Ｆ）（３９）は、比較器（３８）から出力される出力信号をラッチするためのものであり、そのラッチした出力信号を電源制御用ＦＥＴスイッチ（９）に出力することになる。
【００５７】
次に、図２、図３を参照しながら、本実施形態の移動体通信端末装置内の回路構成における処理動作について説明する。なお、図３に示唆する（４１）は、陽極端子（６または７）の電圧波形、（４２）は、電源制御用ＦＥＴスイッチ（９）の電圧波形、（４３）は、移動体通信端末装置本体（２）の電圧波形、（４４）は、電池ＩＤ検出回路（１２）において発生する電池ＩＤ問い合わせ信号、（４５）は、電池ＩＤ発生回路（５）において発生する電池ＩＤ出力信号、（４６）は、ＸＯＲゲート（３６）の出力信号、（４７）は、フリップフロップ（Ｆ／Ｆ）（３９）の出力信号を示唆する。
【００５８】
電池パック（１）が移動体通信端末装置本体（２）に接続されると、電池パック（１）と、移動体通信端末装置本体（２）と、が端子（６，７、１０，１１）を介して電気的に接続されることになる。
【００５９】
これにより、電池パック（１）側から移動体通信端末装置本体（２）側に電圧が印可されることになり、この電圧が、フューズ（ＦＵＳＥ）（８）を介して電池ＩＤ検出回路（１２）と、電源制御用ＦＥＴスイッチ（９）と、に印加されることになる。
【００６０】
電池ＩＤ検出回路（１２）は、陽極端子（６，７）における電圧波形（４１）に現れる一定時間のチャタリング（図３の（ａ）部）の後に、起動することになり、この電池ＩＤ検出回路（１２）の起動により、移動体通信端末装置本体（２）における時計情報（図２参照）が、時計情報ラッチ（３３）において一旦ラッチされることになる。
【００６１】
時計情報ラッチ（３３）においてラッチされた時計情報は、第１のシフトレジスタ（３４）に入力され、第１のシフトレジスタ（３４）は、時計情報ラッチ（３３）においてラッチされた時計情報をシリアル信号に変換すると共に、該変換した時計情報の信号に調歩同期用の制御ビットを付加し、調歩同期用の制御ビットが付加された電池ＩＤ問い合わせ信号（４４）を生成することになる。そして、第１のシフトレジスタ（３４）は、調歩同期用の制御ビットが付加された電池ＩＤ問い合わせ信号（４４）を変調器（２６）に出力することになる。
【００６２】
変調器（２６）は、第１のシフトレジスタ（３４）において生成された電池ＩＤ問い合わせ信号（４４）を変調し、結合コイル（２２）に出力することになる。これにより、結合コイル（２２）に出力された電池ＩＤ問い合わせ信号（４４）が、フューズ（ＦＵＳＥ）（８）、陽極端子（７，６）、を介して電源ＩＤ発生回路（５）に入力されることになり、電源ＩＤ発生回路（５）に入力された電池ＩＤ問い合わせ信号（４４）は、結合コイル（２１）を介して、復調器（２３）に入力されることになる。
【００６３】
復調器（２３）は、結合コイル（２１）を介して入力された電池ＩＤ問い合わせ信号（４４）を復調し、該復調した電池ＩＤ問い合わせ信号（４４）を同期検出部（２７）に出力する。
【００６４】
同期検出部（２７）は、入力された電池ＩＤ問い合わせ信号（４４）のスタートビットを検出した際に、電池ＩＤ問い合わせ信号（４４）を第１のシフトレジスタ（２９）にラッチさせると共に、第２のシフトレジスタ（３０）を起動し、第２のシフトレジスタ（３０）に電池パックＩＤ（図２参照）が入力されることになる。これにより、第２のシフトレジスタ（３０）は、入力された電池パックＩＤ（図２参照）をシリアル変換し、電池パックＩＤ信号を生成することになる。
【００６５】
また、同期検出部（２７）は、電池ＩＤ問い合わせ信号（４４）のストップビットを検出した際に、第１のシフトレジスタ（２９）においてラッチされた問い合わせ信号（４４）と、第２のシフトレジスタ（３０）において生成された電池パックＩＤ信号と、をＸＯＲゲート（３１）に入力することになる。
【００６６】
このように、同期検出部（２７）は、電池ＩＤ問い合わせ信号（４４）に付加されている調歩同期用の制御ビットを基に、電池ＩＤ問い合わせ信号（４４）が陽極端子（６）を占有している期間分だけ第１のシフトレジスタ（２９）において遅延させ、その第１のシフトレジスタ（２９）において遅延された電池ＩＤ問い合わせ信号（４４）と、第２のシフトレジスタ（３０）において生成される電池パック（１）固有の電池パックＩＤ信号と、を同期させてＸＯＲゲート（３１）に入力することになる。
【００６７】
ＸＯＲゲート（３１）は、第１のシフトレジスタ（２９）から入力される電池ＩＤ問い合わせ信号（４４）と、第２のシフトレジスタ（３０）から入力される電池パックＩＤ信号と、を合成し、電池ＩＤ出力信号（４５）を形成し、該形成した電池ＩＤ出力信号（４５）をフリップフロップ（Ｆ／Ｆ）（３２）に出力することになる。
【００６８】
フリップフロップ（Ｆ／Ｆ）（３２）は、ＸＯＲゲート（３１）から出力された電池ＩＤ出力信号（４５）を、リタイミングし、変調器（２４）に出力することになる。変調器（２４）は、フリップフロップ（Ｆ／Ｆ）（３２）から入力された電池ＩＤ出力信号（４５）を変調し、その変調した電池ＩＤ出力信号（４５）を結合コイル（２１）に出力し、陽極端子（６，７）を介して、移動体通信端末装置本体（２）側に送信することになる。移動体通信端末装置本体（２）は、電池ＩＤ出力信号（４５）をフューズ（ＦＵＳＥ）（８）を介して電池ＩＤ検出回路（１２）に出力することになる。
【００６９】
電池ＩＤ検出回路（１２）は、電池パック（１）側から入力された電池ＩＤ出力信号（４５）を、結合コイル（２２）を介して復調器（２５）に入力し、復調器（２５）は、入力された電池ＩＤ出力信号（４５）を復調し、該復調した電池ＩＤ出力信号（４５）を同期検出部（２８）に出力する。
【００７０】
同期検出部（２８）は、入力された電池ＩＤ出力信号（４５）をＸＯＲゲート（３６）に入力すると共に、電池ＩＤ出力信号（４５）のスタートビットを検出した際に、第２のシフトレジスタ（３５）を起動することになる。第２のシフトレジスタ（３５）は、同期検出部（２８）からの制御信号を基に、時計情報ラッチ（３３）においてラッチされた時計情報をシリアル信号に変換し、該変換した時計情報の信号をＸＯＲゲート（３６）に出力することになる。
【００７１】
これにより、同期検出部（２８）からＸＯＲゲート（３６）に電池ＩＤ出力信号（４５）が入力されると共に、第２のシフトレジスタ（３５）からＸＯＲゲート（３６）に時計情報の信号が入力されることになる。
【００７２】
ＸＯＲゲート（３６）は、同期検出部（２８）から入力された電池ＩＤ出力信号（４５）と、第２のシフトレジスタ（３５）から入力された時計情報の信号と、を基に、出力信号Ｄを形成することになる。
【００７３】
なお、移動体通信端末装置本体（２）の第１のシフトレジスタ（３４）において生成された電池ＩＤ問い合わせ信号（４４）＝時計情報＝Ａとし、電池パック（１）の第２のシフトレジスタ（３０）において生成された電池パックＩＤ信号＝Ｂとすると、電池パック（１）のＸＯＲゲート（３１）において生成された電池ＩＤ出力信号Ｃ（４５）は、Ｃ＝Ａ・／Ｂ＋／Ａ・Ｂとなり、移動体通信端末装置本体（２）のＸＯＲゲート（３６）から出力される出力信号Ｄ（４６）は、以下の（式１）により求まることになる。
【００７４】
（式１）
Ｄ＝Ｃ・／Ａ＋／Ｃ・Ａ
＝（Ａ・／Ｂ＋／Ａ・Ｂ）・／Ａ＋／（Ａ・／Ｂ＋／Ａ・Ｂ）・Ａ
＝Ａ・／Ｂ・／Ａ＋／Ａ・B・／Ａ＋／（Ａ＋／Ｂ）・／（／Ａ＋Ｂ）・Ａ
＝０＋／Ａ・Ｂ＋（／Ａ＋Ｂ）・（Ａ＋／Ｂ）・Ａ
＝０＋／Ａ・Ｂ＋／Ａ・Ａ・Ａ＋Ｂ・Ａ・Ａ＋／Ａ・／Ｂ・Ａ＋Ｂ・／Ｂ・Ａ
＝０＋／Ａ・Ｂ＋０＋Ｂ・Ａ＋０＋０
＝Ｂ
【００７５】
上記の（式１）から明らかなように、ＸＯＲゲート（３６）は、電池ＩＤ発生回路（５）の第２シフトレジスタ（３０）において発生した電池パックＩＤ信号Ｂを復調することになる。なお、上記（式１）において、Ａ，Ｂ，Ｃ，Ｄのとり得る値は、０、または１、＋は論理和、・は論理積、／は否定を示唆するものである。
【００７６】
従って、ＸＯＲゲート（３６）は、電池ＩＤ発生回路（５）に設定されている電池パックＩＤの信号を出力信号Ｄとして第３のシフトレジスタ（３７）に入力することになり、第３のシフトレジスタ（３７）は、入力された出力信号Ｄを比較器（３８）に入力し、比較器（３８）は、第３のシフトレジスタ（３７）から入力される出力信号Ｄと、移動体通信端末装置本体（２）側に設定されている電池パックＩＤ（図２参照）の信号と、を比較し、第３のシフトレジスタ（３７）から入力された出力信号Ｄと、移動体通信端末装置側（２）に設定されている電池パックＩＤ（図２参照）の信号と、が一致すると判断した場合に、比較器（３８）は、出力信号をフリップフロップ（Ｆ／Ｆ）（３９）に出力し、フリップフロップ（Ｆ／Ｆ）（３９）において出力信号がラッチされることになる。
【００７７】
フリップフロップ（Ｆ／Ｆ）（３９）においてラッチされた出力信号は、フリップフロップ出力信号（４７）として、電源制御用ＦＥＴスイッチ（９）のゲートに入力されることになり、電源制御用ＦＥＴスイッチ（９）は、フリップフロップ出力信号（４７）が入力されることでオンとなり、電源制御用ＦＥＴスイッチ（９）は、電圧を移動体通信端末装置主回路（１３）（図１参照）に入力することになり、移動体通信端末装置主回路（１３）は、電源制御用ＦＥＴスイッチ（９）から電圧が入力されることで本体電圧（４３）が印加されることになる。これにより、移動体通信端末主回路（１３）が起動することになり、移動体通信端末装置本体（２）の電源がオンとなる。
【００７８】
また、比較器（３８）は、第３のシフトレジスタ（３７）から入力された出力信号Ｄと、移動体通信端末装置側（２）に設定されている電池パックＩＤ（図２参照）の信号と、が一致しないと判断した場合には、フリップフロップ（Ｆ／Ｆ）（３９）に出力信号を出力せず、フリップフロップ（Ｆ／Ｆ）（３９）において出力信号がラッチされないことになる。このため、フリップフロップ（Ｆ／Ｆ）（３９）は、電源制御用ＦＥＴスイッチ（９）のゲートに出力信号を入力しないことになり、電源制御用ＦＥＴスイッチ（９）は、移動体通信端末装置主回路（１３）（図１参照）に電圧を入力することはなく、本体電圧（４３）が印加されないことになる。このため、移動体通信端末主回路（１３）は起動することはなく、移動体通信端末装置本体（２）の電源はＯＦＦのままとなる。
【００７９】
このように、本実施形態における移動体通信端末装置は、電池パック（１）が移動体通信端末装置本体（２）に搭載され、電池パック（１）と、移動体通信端末装置本体（２）と、が電気的に接続した際に、移動体通信端末装置本体（２）が、カレンダ用ＩＣから出力される時計情報を基に、電池ＩＤ問い合わせ信号（４４）を生成し、該生成した電池ＩＤ問い合わせ信号（４４）を、電池パック（１）側に電源線（陽極端子（７、６）間）を介して出力することになる。そして、電池パック（１）は、電池ＩＤ問い合わせ信号（４４）が入力された際に、該入力された電池ＩＤ問い合わせ信号（４４）を基に、電池パック（１）固有の電池ＩＤ出力信号（４５）を生成し、該生成した電池ＩＤ出力信号（４５）を、移動体通信端末装置本体（２）側に電源線（陽極端子（６、７）間）を介して出力することになる。移動体通信端末装置本体（２）は、電池パック（１）側から電池ＩＤ出力信号（４５）が入力された際に、該入力された電池ＩＤ出力信号（４５）が移動体通信端末装置本体（２）側に設定されている電池パックＩＤの信号と一致するか否かを判断し、一致すると判断した場合に、移動体通信端末装置本体（２）側の主電源を起動することになる。これにより、移動体通信端末装置本体（２）に特有の正規の電池パック（１）が移動体通信端末装置本体（２）に搭載された場合にのみ、移動体通信端末装置本体（２）の電源が入ることになり、模造の電池パックを移動体通信端末装置本体（２）に接続しても、移動体通信端末装置本体（２）の電源が入らないことになり、模造の電池パックが市場に流通しないことになる。
【００８０】
また、電池パック（１）が移動体通信端末装置本体（２）側に出力する電池ＩＤ出力信号（４５）を、移動体通信端末装置本体（２）から入力された電池ＩＤ問い合わせ信号（４４）と、電池パック（１）側に設定してある電池パックＩＤの信号と、を合成して作成することで、その電池パック（１）単体の出力信号（電池パックＩＤの信号）のみが移動体通信端末装置本体（２）側に入力されても移動体通信端末装置本体（２）の電源が入らないように設計することになるため、模造業者が電池パック（１）単体の出力信号（電池パックＩＤの信号）を観測し、その観測した出力信号（電池パックＩＤの信号）を発生する模造電池パック（１）を製造したとしても、移動体通信端末装置本体（２）の電源が入らないことになり、正規の電池パック（１）から出力される電池ＩＤ出力信号（４５）の機密性を向上させることが可能となる。
【００８１】
また、例え、模造業者が、電池パック（１）側から出力する電池ＩＤ出力信号（４５）をアナライザで観測し、該観測した電池ＩＤ出力信号（４５）を固定的に発生する電気回路を模造電池パック（１）に組み込もうと試みたとしても、移動体通信端末装置本体（２）の具備する電池ＩＤ検出回路（１２）において発生する電池ＩＤ問い合わせ信号（４４）に乱数を合成することで、電池パック（１）側で生成される電池ＩＤ出力信号（４５）は、電池ＩＤ問い合わせ信号（４４）に合成される乱数により変化することになるため、回路解析を困難にすることが可能となる。
【００８２】
また、例え、模造業者が、電池ＩＤ問い合わせ信号（４４）と、電池ＩＤ出力信号（５５）と、を同時に観測し、電池パック（１）側の回路の解析を試みたとしても、移動体通信端末装置本体（２）において発生する時計情報に応じて電池ＩＤ問い合わせ信号（４４）が変化し、その変化した電池ＩＤ問い合わせ信号（４４）を基に、電池パック（１）側で電池ＩＤ出力信号（５５）を形成することで、移動体通信端末装置本体（２）において発生する時計情報に応じて電池ＩＤ出力信号（４５）を変化させるように構築したことから、回路解析をより困難にすることが可能となる。なお、本実施形態における時計情報は、移動体通信端末装置本体（２）のカレンダ用ＩＣから出力される時計情報を用いることを特徴としている。
【００８３】
（第２の実施形態）
次に、第２の実施形態について説明する。
第２の実施形態は、電池パック（１）側と、移動体通信端末装置本体（２）側と、の双方にカレンダ用ＩＣを保持させると共に、電池パック（１）と、移動体通信端末装置本体（２）と、に設定されている電池パックＩＤを複数有し、電池パック（１）と移動体通信端末装置本体（２）とに保持させたカレンダ用ＩＣから出力される時計情報に応じて、電池パック（１）と、移動体通信端末装置本体（２）と、に設定される電池パックＩＤを任意に変化させることを特徴とするものである。これにより、電池ＩＤ発生回路（５）は、カレンダ用ＩＣから出力される時計情報に応じて任意に変化する電池パックＩＤを基に、電池ＩＤ出力信号（４５）を発生することになるため、電池ＩＤ発生回路（５）で生成する電池ＩＤ出力信号（４５）を動的に変化させることが可能となり、電池ＩＤ検出回路（１２）は、電池ＩＤ発生回路（５）から入力された電池ＩＤ出力信号（４５）と、移動体通信端末装置本体（２）側のカレンダ用ＩＣから出力される時計情報に応じて任意に変化する電池パックＩＤの信号と、が一致するか否かを判断し、一致すると判断した場合に、電池ＩＤ検出回路（１２）は、移動体通信端末装置本体（２）側の主電源を起動することになる。
【００８４】
このように、電池パック（１）と、移動体通信端末装置本体（２）と、に搭載したカレンダ用ＩＣから出力される時計情報に応じて、電池パック（１）と、移動体通信端末装置本体（２）と、に設定される電池パックＩＤを動的に変化させることで、移動体通信端末装置本体（２）の主電源を起動させるための判断材料となる電池パックＩＤをカレンダ用ＩＣから出力される時計情報に応じて動的に変化させることが可能となり、電池パック（１）側の入力（電池ＩＤ問い合わせ信号（４４））と、出力（電池ＩＤ出力信号（５５））と、の関係を複雑にし、正規の電池パック（１）から出力される電池ＩＤ出力信号（４５）の機密性を向上させることが可能となる。
【００８５】
なお、上述する実施形態は、本発明の好適な実施形態であり、上記実施形態のみに本発明の範囲を限定するものではなく、本発明の要旨を逸脱しない範囲において種々の変更を施した形態での実施が可能である。例えば、上述した実施形態においては、クロック発生器（図示せず）を用いて、調歩同期を行うためのクロック信号を生成することとしたが、調歩同期を行うためのクロック信号を生成することが可能な構成であれば、特に限定するものではなく、クロック発生器（図示せず）を搭載することなく、既存の回路において発生するクロック信号を基に、調歩同期を行うためのクロック信号を生成するように構築することも可能である。また、調歩同期のほか、ＣＭＩ（Ｃｏｄｅｄ  Ｍａｒｋ  Ｉｎｖｅｒｓｉｏｎ  Ｃｏｒｄｓ）符号を使って電池側のクロック発生器を不要とするように構築することも可能である。また、図１に示唆する移動体通信端末装置において、電池パック（１）内に、温度検出用サーミスタ（図示せず）を搭載し、また、温度検出用サーミスタ（図示せず）が検出した検出データを基に移動体通信端末装置本体（２）の電源を遮断するためのＦＥＴスイッチ（図示せず）を、移動体通信端末装置本体（２）側に搭載し、電池パック（１）内に搭載した温度検出用サーミスタ（図示せず）の検出データを、移動体通信端末装置本体（２）側で監視し、移動体通信端末装置本体（２）が、温度検出用サーミスタ（図示せず）の検出データが所定の閾値を超えたと判断した場合に、電池パック（１）に異常が発生したと判断し、ＦＥＴスイッチ（図示せず）をＯＦＦにし、移動体通信端末装置本体（２）の電源を遮断し、移動体通信端末装置の安全性を図るように構築することも可能である。
【産業上の利用可能性】
【００８６】
本発明にかかる移動体通信端末装置及び電池パックは、携帯電話機、ＰＤＡ（Ｐｅｒｓｏｎａｌ  Ｄｉｇｉｔａｌ  Ａｓｓｉｓｔａｎｔｓ）、ＰＨＳ（Ｐｅｒｓｏｎａｌ  Ｈａｎｄｙｐｈｏｎｅ  Ｓｙｓｔｅｍ）、ＰＣ（Ｐｅｒｓｏｎａｌ  Ｃｏｍｐｕｔｅｒ）等の、携帯型の電池パックを搭載した移動体型の通信端末装置に適用可能である。
【図面の簡単な説明】
【００８７】
【図１】本実施形態における移動体通信端末装置の構成を示唆し、移動体通信端末装置本体（２）に電池パック（１）を搭載した構成を示唆する図である。
【図２】図１に示唆する電池ＩＤ発生回路（５）と、電池ＩＤ検出回路（１２）と、の詳細構成を示唆する図である。
【図３】本実施形態の移動体通信端末装置本体（２）における信号の処理動作を説明するための図である。
【符号の説明】
【００８８】
１    電池パック
２    移動体通信端末装置本体
３    素電池
４    保護回路
５    電池ＩＤ発生回路
６、７    陽極端子
１０、１１    陰極端子
８    フューズ（ＦＵＳＥ）
９    電源制御用ＦＥＴスイッチ
１２    電池ＩＤ検出回路
１３    移動体通信端末装置主回路
１４    電池ＩＤ問い合わせ信号（４４）
１５    電池ＩＤ出力信号（４５）
２１、２２    結合コイル
２３、２５    復調器
２４、２６    変調器
２７、２８    同期検出部
２９、３４    第１シフトレジスタ
３０、３５    第２シフトレジスタ
３１、３６    ＸＯＲゲート
３２、３９    フリップフロップ
３３    時計情報ラッチ
３７    第３シフトレジスタ
３８    比較器
【図１】
2006081094.tif 000003
【図２】
2006081094.tif 000004
【図３】
2006081094.tif 000005